(57)【要約】【課題】電気ヒーターと同一の機能を有する手段を備え、サービス性等を向上させる空気調和装置の室外機等を提供する。【解決手段】吸入した冷媒を圧縮して吐出する圧縮機１と、外気と冷媒の熱交換を行う室外側熱交換器７と、冷媒の流路切換を行うための四方弁２と、圧縮機１の吐出側の配管と吸入側の配管とを接続してバイパス回路を構成し、室外機１００内の機器を載置するための室外機ベース部に圧縮機１を吐出した冷媒が有する熱量を供給するバイパス配管９及びバイパス配管９に流入出する冷媒の流量を調整する流量調整手段となるキャピラリ１０、バイパス回路開閉用弁１１で構成するバイパス回路と、バイパス配管９に圧縮機１が吐出した冷媒を通過させるため流量調整手段を制御する制御装置１１０とを備えるものである。【選択図】図１
2012068001.tif 000002
【特許請求の範囲】
【請求項１】
吸入した冷媒を圧縮して吐出する圧縮機と、
外気と冷媒の熱交換を行う室外側熱交換器と、
前記圧縮機の吐出側の配管と吸入側の配管とを接続し、室外機内の機器を載置するための室外機ベース部に対して、前記圧縮機から吐出した冷媒の熱量を供給するためのバイパス配管及び該バイパス配管における冷媒の流量調整を行う流量調整手段を有するバイパス回路と、
前記流量調整手段の制御を行う制御装置と
を備えることを特徴とする室外機。
【請求項２】
外気の温度を検知するための外気温度検知手段をさらに備え、
前記制御装置は、前記室外側熱交換器が蒸発器として機能しているときに、前記外気温度検知手段の検知に係る温度が所定温度以下である状態が所定時間続いているかどうかを判断して、前記流量調整手段を制御し、前記バイパス配管の冷媒を通過させるための制御を行うことを特徴とする請求項１記載の室外機。
【請求項３】
前記圧縮機の吸入側において液状の冷媒を貯留するアキュムレータをさらに備え、
前記バイパス配管を流出した冷媒が前記アキュムレータを通過するように前記バイパス配管を接続することを特徴とする請求項１又は２記載の室外機。
【請求項４】
前記バイパス配管における冷媒流入口及び冷媒流出口の温度を検知する冷媒温度検知手段をさらに備え、
前記制御装置は、前記温度検知手段の検知に係る前記冷媒流入口と前記冷媒流出口との温度差に基づいて、前記バイパス配管の冷媒通過を停止させるかどうかを判断することを特徴とする請求項１〜３のいずれかに記載の室外機。
【請求項５】
前記室外機ベース部の複数の位置から、前記冷媒の熱量を供給できるように、複数のバイパス回路を有することを特徴とする請求項１〜４のいずれかに記載の室外機。
【請求項６】
前記バイパス配管の少なくとも一部を外管と内管とを有する二重管構造とすることを特徴とする請求項１〜５のいずれかに記載の室外機。
【請求項７】
請求項１〜６のいずれかに記載の室外機と
冷媒の圧力を制御するための圧力調整手段及び空調対象空間の空気との熱交換を行う室内側熱交換器を有する室内機と
を配管接続することを特徴とする空気調和装置。
【発明の詳細な説明】
【技術分野】
【０００１】
本発明は、空気調和装置の室外機等に関するものである。特に、室外機ベース部における水の氷結（凍結）を防ぐようにした室外機等に関するものである。
【０００２】
例えば、冷凍サイクル（ヒートポンプサイクル）を利用した空気調和装置では、基本的に、圧縮機、室外側熱交換器等を有する室外機（熱源機）と流量制御装置（膨張弁等）、室内機側熱交換器等を有する室内機（負荷側ユニット）とを冷媒配管により接続し、冷媒を循環させる冷媒回路を構成している。そして、室内機側熱交換器において、冷媒が蒸発、凝縮する際に、熱交換対象となる空調対象空間の空気から吸熱、放熱することを利用し、冷媒回路における冷媒に係る圧力、温度等を変化させながら空気調和を行っている。
【０００３】
ここで、室外機は、筐体内に収容する室内機側熱交換器等を載置する室外機ベース部を有している。この室内機ベース部には、例えば霜取り（デフロスト）等により発生したドレン水等を筐体外に排出するためのドレン穴を設けている。また、空気調和装置において、暖房運転を行う場合には、室外機側熱交換器が蒸発器となる。このため、室外の空気（以下、外気という）の温度が低い（低外気）場合に暖房運転を行うと、例えば室内機ベース部に残ったドレン水等が氷結してドレン穴を塞ぐ。ドレン穴が塞がれると、排出されずに室外機ベース部にさらに残ったドレン水等がさらに氷結することで根氷等の原因ともなり、室外側熱交換器を通過する空気の流れを邪魔して効率的な熱交換ができなくなる。そこで、ドレン穴の周辺に電気ヒーターを設置し、通電により加熱して室外機ベース部に溜まった水の氷結を防止する室外機が提案されている（例えば、特許文献１参照）。
【先行技術文献】
【特許文献】
【０００４】
【特許文献１】特許第３８８２９１０号公報（図１）
【発明の概要】
【発明が解決しようとする課題】
【０００５】
本来、上記のような電気ヒーターを標準装備としてあらかじめ室外機ベース部に設置していればよいが、すべての機種について、室外機ベース部のドレン穴が塞がれるような環境で使用するわけではない。このため、コスト面を考慮して、電気ヒーターを標準装備としていないことが多い。
【０００６】
そして、従来、空気調和装置の電気ヒーターの必要の有無を現地で判断し、必要と判断した場合のみ現地で取り付けている。
【０００７】
電気ヒーターを現地で取り付ける場合、室外機の配管を避けて室外機ベース部に取り付けることになるため、取り付ける作業が困難で負担がかかる。このため、取り付け作業（室外機設置作業）に時間を要することとなる。このようなことから、サービス性も考慮すると、現地での電気ヒーターを取り付けることなく、室外機ベース部における水の氷結を防止できることが望ましい。
【０００８】
そこで、本発明は、電気ヒーターを取り付ける代わりに、簡易な構成で熱量供給（伝熱）を行えるようにして室外機ベース部における水の氷結を防ぎつつ、サービス性等を向上させることができる空気調和装置の室外機等を提供することを目的とする。
【課題を解決するための手段】
【０００９】
本発明の空気調和装置の室外機は、吸入した冷媒を圧縮して吐出する圧縮機と、外気と冷媒の熱交換を行う室外側熱交換器と、圧縮機の吐出側の配管と吸入側の配管とを接続し、室外機内の機器を載置するための室外機ベース部に対して、圧縮機から吐出した冷媒の熱量を供給するためのバイパス配管及びバイパス配管における冷媒の流量調整を行う流量調整手段を有するバイパス回路と、流量調整手段の制御を行う制御装置とを備えるものである。
【発明の効果】
【００１０】
本発明に係る空気調和装置の室外機は、圧縮機１の吐出側と吸入側とをバイパス配管で接続してバイパス回路を形成し、バイパス配管に高温の冷媒を通過させ、熱交換により室外機ベース部に熱量を供給するようにしたので、例えば外気温度が低い環境下において、暖房運転の霜取り時に発生した水が氷結せず、室外機ベース部のドレン穴を塞ぐことがなく、室外機外に水を排出させることができる。このため、室外機ベース部に水が貯まることなく、室外熱交換器の熱交換の効率を下げず、暖房性能が低下するのを抑制することができる。そして、現地において室外機ベース部に取り付ける電気ヒーターの代わりに、バイパス配管を配管しておくようにしたので、設置に係る作業時間等を短縮することができ、サービス性を向上させることができる。また、バイパス配管の配管しておく方が配設に係る自由度が高いため、室外機ベース部の所定の位置に効率よく熱量供給を行うことができる。
【図面の簡単な説明】
【００１１】
【図１】本発明の実施の形態１の空気調和装置の構成を表す図である。
【図２】バイパス回路の配置関係を室外機１００の上側から表した図である。
【図３】本実施の形態１における氷結防止制御処理のフローチャートを表す図である。
【図４】本発明の実施の形態２の空気調和装置の構成を表す図である。
【図５】第１、第２バイパス回路の配置関係を室外機１００の上側から表した図である。
【図６】本実施の形態２における氷結防止制御処理のフローチャートを表す図である。
【図７】本発明の実施の形態３の空気調和装置の構成を表す図である。
【図８】本実施の形態４における氷結防止制御処理のフローチャートを表す図である。
【図９】実施の形態４におけるバイパス回路の配置関係を表した図である。
【図１０】実施の形態４に係るバイパス配管５０の構造を表す図である。
【図１１】冷媒の流れる距離と配管温度との関係を表す図である。
【発明を実施するための形態】
【００１２】
実施の形態１．
以下、本発明に関する実施の形態１について説明する。
図１は、この発明の実施の形態１における空気調和装置の構成を表す図である。図１では、室外機１００と室内機２００とを冷媒配管で接続した空気調和装置（冷媒回路）を構成する。室外機（熱源機）１００は、圧縮機１、四方弁２、ガス操作弁３、液操作弁６、室外側熱交換器７、アキュムレータ８、バイパス配管９、キャピラリ１０、バイパス回路開閉用弁１１、過冷却用配管２１、冷媒間熱交換器２２及び冷媒調整弁２３を有している。また、室外の温度を検知して制御装置１１０に検知信号を送る温度検知手段となる室外温度センサー３０を設置している。
【００１３】
圧縮機１は、吸入した冷媒を圧縮して吐出する。ここで、圧縮機１は、例えばインバータ装置等を備え、制御装置１１０からの指示に基づいて運転周波数を任意に変化させることにより、圧縮機１の容量（単位時間あたりの冷媒を送り出す量）を細かく変化させることができる。四方弁２は、制御装置１１０からの指示に基づいて冷房運転時と暖房運転時とによって冷媒の流れを切り換える。
【００１４】
ガス操作弁３は、室外機１００へのガス（気体）状の冷媒（気液二相冷媒も含む。以下、ガス冷媒という）の流入出を制御する。また、液操作弁６は、室外機１００への液状の冷媒（気液二相冷媒も含む。以下、液冷媒という）の流入出を制御する。
【００１５】
室外側熱交換器７は、冷媒と空気（室外の空気）との熱交換を行う。例えば、暖房運転時においては蒸発器として機能し、冷媒を蒸発させ、気化させる。また、冷房運転時においては凝縮器として機能し、冷媒を凝縮して液化させる。また、例えば熱源側熱交換器１０４における冷媒と空気との熱交換を効率よく行うため、熱源側ファン（図示せず）が設けられている。アキュムレータ８は、例えば余剰冷媒を溜めておく手段である。特に本実施の形態では、室外機ベース部への熱量供給（熱交換）によって液状（気液二相状態も含む）となったバイパス配管９を通過した冷媒が流れ込む。
【００１６】
また、本実施の形態では、バイパス配管９並びに流量調整手段となるキャピラリ１０及びバイパス回路開閉用弁１１によって、室内機２００との間で構成する冷媒回路（以下、主冷媒回路という）とは別のバイパス回路を形成する。バイパス配管９は、例えば暖房運転時に圧縮機１を吐出した冷媒がアキュムレータ８（圧縮機１の吸入側）に流れるように、例えばガス操作弁３とアキュムレータ８との間を配管接続する。バイパス用の流量制御手段となるキャピラリ１０は、バイパス回路（バイパス配管９）を通過する冷媒の流量を制御する。ここでは、バイパス用の流量制御手段としてキャピラリ１０を用いるが、例えば電磁弁等を用いて、制御装置１１０からの指示に基づいて冷媒流量の制御を行うようにしてもよい。バイパス回路開閉用弁１１は、制御装置１１０からの指示に基づいてバイパス回路における冷媒の通過、非通過を制御する。本実施の形態においては、暖房運転時に所定の条件を満たした場合には開状態にしてバイパス回路に冷媒を通過させるようにし、冷房運転時には閉状態にしてバイパス回路に冷媒を循環させないようにする。ここでは、バイパス回路開閉用弁１１を用いているが、例えば電磁弁等を用いて、流量制御手段と開閉弁とを兼用させるようにしてもよい。バイパス回路の詳細については後述する。
【００１７】
過冷却用配管２１は、例えば冷房運転時に冷媒を過冷却するための冷媒を通過させる配管である。また、冷媒間熱交換器２２は、室外側熱交換器７を流出した冷媒と過冷却用配管２１を通過する冷媒との熱交換を行う。冷媒調整弁２３は、過冷却用配管２１に流れる冷媒の流量、圧力を調整する。
【００１８】
また、制御装置１１０は、空気調和装置を構成する各機器に指示を行って空気調和に係る制御を行う。本実施の形態では、特にバイパス回路に冷媒を循環させて室外機ベース部におけるドレン穴が塞がれるのを防止するための氷結防止制御処理を行う。ここで、本実施の形態の制御装置１１０は、計時手段としてタイマー等（図示せず）を有しているものとする。ここでは、室外機１００内に制御装置１１０を搭載しているものとして説明するが、設置位置については特に限定しない。
【００１９】
一方、室内機２００は、室内側熱交換器４及び電子膨張弁５を有している。室内側熱交換器４は冷媒と空気との熱交換を行う。例えば、暖房運転時においては凝縮器として機能し、冷媒を凝縮させて液化（又は気液二相化）させる。一方、冷房運転時においては蒸発器として機能し、冷媒に空気の熱を奪わせて蒸発させて気化させる。電子膨張弁５は、開度を変化させることで、室内側熱交換器４における冷媒の圧力、流量等を調整する主冷媒回路における減圧手段（圧力調整手段）である。
【００２０】
ここで、本実施の形態の冷媒回路において循環させる冷媒については特に制限するものではない。例えば、Ｒ２２のような単一冷媒、Ｒ４０７Ｃのような非共沸混合冷媒、Ｒ４１０Ａのような疑似共沸冷媒、ＣＯ2 のような自然冷媒等を用いることができる。
【００２１】
次に図１の空気調和装置における暖房運転時の主冷媒回路に係る各機器の動作を、冷媒の流れに基づいて説明する。機器の動作制御は制御装置１１０が行う。まず、室外機１００において、圧縮機１により圧縮されて吐出した高温、高圧のガス（気体）冷媒は、四方弁２、ガス操作弁３を通過して室外機１００から流出して室内機２００に流入する。
【００２２】
室内機２００に流入した冷媒は、凝縮器として機能する室内側熱交換器４を通過する。このとき、室内側熱交換器４において、冷媒は熱交換によって凝縮して液化するとともに、たとえば空調対象空間の空気を加熱する。これにより空調対象空間の暖房を行う。室内側熱交換器４を通過した冷媒は減圧されて、例えば低温低圧の二相冷媒となり、室内機２００から流出して室外機１００に流入する。
【００２３】
室外機１００に流入した冷媒は、液操作弁６を通過して蒸発器として機能する室外側熱交換器７に流入する。室外側熱交換器７を通過した冷媒は、室外の空気と熱交換することで蒸発して気化（ガス化）し、さらに四方弁２、アキュムレータ８を介して圧縮機１に吸入され、前述したように圧縮され吐出することで循環する。ここで、暖房運転時においては、過冷却を行わないため、冷媒調整弁２３を閉じ、過冷却用配管２１に冷媒を通過させないようにする。
【００２４】
基本的な暖房運転においては、バイパス配管９（バイパス回路）に冷媒を流してバイパス回路を形成する必要がないため、バイパス回路開閉用弁１１を閉じた状態にしている。
【００２５】
一方、例えば外気温度が低いときに暖房運転を行うような場合、霜取り時に発生した水が室外機ベース部で氷結して室外機ベース部のドレン穴を塞いでしまい、室外側熱交換器７が凍結して暖房性能が低下するおそれがある。そこで、本実施の形態１の空気調和装置では、室外機１００に、バイパス配管９、バイパス回路において流量を調整するキャピラリ１０、バイパス回路開閉用弁１１によるバイパス回路を形成し、高温の冷媒を流してドレン穴の凍結を抑制する。
【００２６】
ここで、本実施の形態では、バイパス配管９の配管径をφ９．５２、配管長を３０００[ｍｍ]とする。また、キャピラリ１０については、外径φ４．８、内径φ３．６、長さ６００［ｍｍ］とする。
【００２７】
例えば、これまでのベースヒーター試験結果から、室外側熱交換器７が凍結するのを防止するためには、最低でも１５０［Ｗ］の熱量を、熱交換により室内機ベース部に供給することが必要であることがわかっている。そこで、バイパス回路に流す冷媒により、最低でも１５０［Ｗ］（１５０×１０-3［ｋＪ／ｓ］）の熱量の供給を確保できるようにする。
【００２８】
例えば、１０馬力の圧縮機１において暖房運転を行う場合、バイパス回路の冷媒流入口と流出口のエンタルピー差ΔＩは、１５［ｋＪ／ｋｇ］となる。このため、必要な冷媒流量Ｇｒ［ｋｇ／ｈ］は、次式（１）、（２）を満たすこととなる。
Ｇｒ×ΔＩ×１／３６００≧１５０×１０-3                            …（１）
Ｇｒ≧１５０×１０-3／１５×３６００＝３６                          …（２）
【００２９】
ここで、バイパス回路を循環する冷媒の流量が多いほど、多くの熱量を供給することができるため、確実に室内機ベース部における水の氷結を防止し、室外側熱交換器７が凍結するのを防止することができる。一方で、主冷媒回路において、室内側熱交換器４に流れる冷媒の流量が少なくなるため、暖房能力が低下することが予測される。そこで、上述したように、外径φ４．８、内径φ３．６、長さ６００[ｍｍ]のキャピラリ１０を設けることにより、バイパス回路には氷結防止に必要な最低限の冷媒を循環させるようにしている。
【００３０】
図２はバイパス回路の配置関係を室外機１００の上側から表した図である。本実施の形態においては、ドレン穴付近にバイパス配管９を配置し、固定金具により室外機ベース部に固定することで、熱交換を効率よく行い、ドレン穴が塞がるのを防止できるようにする。ただし、室外機ベース部に必要な熱量を供給することができるのであれば、バイパス配管９を室外機ベース部に密着させる必要はない。
【００３１】
図３は本実施の形態１における氷結防止制御処理のフローチャートを表す図である。次に、本実施の形態において、制御装置１１０が処理を行う氷結防止に係る制御について説明する。まず、運転モードが暖房運転であるかどうかを判断する（ＳＴ１）。暖房運転であると判断すると、室外温度センサー３０からの信号に基づいて外気温度が３℃以下であるかどうかを判断し（ＳＴ２）、さらにタイマーの計時に基づいて、外気温度が３℃以下の状態が１０分連続しているかどうかを判断する（ＳＴ３）。
【００３２】
ここで、例えば、本実施の形態において、外気温度について、３℃以下を条件としているのは、外気温度が３℃付近において、室外側熱交換器７への着霜量が多くなるからである。着霜量が多いと、霜取りを行った際に発生した水が室外機ベース部に溜まる可能性が高くなり、室外側熱交換器７の熱交換により氷結する場合がある。また、外気温度が０℃以下であれば、室外側熱交換器７への着霜量は減ってくるものの、例えば、室外機１００に雪の吹きつけ等があると、室外機ベース部における水が氷結する可能性が高くなる。また、外気温度が１０分以下としているのは、これまでのベースヒーター試験結果から、１０分以上になると、室外機ベース部における水の氷結が進行し、ドレン穴が塞がる傾向が顕著に見られたためである。以上のことを考慮して、本実施の形態では、外気温度が３℃以下である状態が１０分連続するかどうかを判断の条件としている。ただ、判断の条件としている外気温度、時間の具体的数値は特に限定するものではなく、基本的には、環境、室外機１００の大きさ等に基づいて設定変更等をすることができる。また、ここでは外気温度を判断の条件としているが、他の温度に係る条件に基づいて判断を行うようにしてもよい。
【００３３】
判断の結果、以上の条件を満たしていない場合は、室外機ベース部のドレン穴は塞がらないと考えることができるとして、そのままの運転（主冷媒回路だけを冷媒循環させる暖房運転）を継続する。一方、条件を満たしている場合には、バイパス回路開閉用弁１１を開として（開放させて）バイパス配管９に冷媒が通過できるようにし、バイパス回路を形成する（ＳＴ４）。バイパス回路を形成することで、バイパス配管９を介して圧縮機１から吐出した高温の冷媒と室外機ベース部との間で熱交換を行い、冷媒が有する熱量を室外機ベース部に供給することができ、室外機ベース部において水が氷結するのを抑制することができる。
【００３４】
そして、バイパス回路を形成した後、空気調和装置の運転を停止したものと判断するか（ＳＴ５）、又は運転中に室外温度センサー３０からの信号に基づいて外気温度が３℃より高いかどうかを判断し（ＳＴ６）、外気温度が３℃より高い状態が１０分連続したものと判断すると（ＳＴ７）、バイパス回路開閉用弁１１を閉にして（閉止させて）バイパス配管９に冷媒が流れないようにする（ＳＴ８）。
【００３５】
以上のように、実施の形態１に係わる空気調和装置の室外機１００においては、現地において室外機ベース部に取り付ける電気ヒーターの代わりに、圧縮機１の吐出側にあるガス操作弁３と圧縮機１の吸入側にあるアキュムレータ８との間にバイパス配管９を接続してバイパス回路を形成し、例えば室外側熱交換器７が蒸発器として機能している暖房運転時に、所定の条件を満たしていると判断すると、バイパス回路開閉用弁１１を開にしてキャピラリ１０で流量を調整しながらバイパス配管９に高温の冷媒を通過させ、熱交換により室外機ベース部に熱量を供給するようにしたので、例えば外気温度が低い環境下において、暖房運転の霜取り時に発生した水が氷結せず、室外機ベース部のドレン穴を塞ぐことがなく、室外機１外に水を排出させることができる。このため、室外機ベース部に水が貯まることなく、室外熱交換器７の熱交換の効率を下げず、暖房性能が低下するのを抑制することができる。バイパス配管９を流出した冷媒がアキュムレータ８を流れるようにすることで、圧縮機１が液状の冷媒を吸入することなく、信頼性を高めることができる。
【００３６】
また、バイパス配管９を配管しておくようにしたので、設置に係る作業時間等を短縮することができ、サービス性を向上させることができる。バイパス配管９を配管する方が、後で電気ヒーターを取り付けるよりも配設の自由度が高いため、室外機ベース部の所定の位置に熱量供給を行うことができる。そして、電気ヒーターの代わりに圧縮機１が吐出した冷媒の熱量を供給するため、電気ヒーターを用いた熱量供給よりも必要な熱量を素早く、効率よく供給することができる。
【００３７】
実施の形態２．
以下、本発明に関する実施の形態２について説明する。
図４は、この発明の実施の形態２における空気調和装置の構成を表す図である。前述の実施の形態１では、バイパス回路により、圧縮機１を吐出した冷媒をアキュムレータ８（圧縮機１の吸入側）に流して室外機ベース部における水の氷結防止を図っていた。ここで、バイパス配管９からの冷媒流出口付近においては、熱交換量が低下するため、場合によっては、室外機ベース部に必要な熱量を供給することができず、熱交換不足でドレン穴が塞がったままとなる可能性がある。
【００３８】
そこで、実施の形態２の空気調和装置の室外機では、バイパス回路を複数構成し、例えば、各バイパス回路に流れる冷媒を対向する方向に流れるようにして、各ドレン穴付近に必要な熱量の供給を行うようにするものである。
【００３９】
図４の空気調和装置において、図１と同じ符号を付している機器等については、実施の形態１において説明した動作、機能と同様の動作、機能を果たすものである。ここで、本実施の形態においては、バイパス配管９等により形成されるバイパス回路を第１のバイパス回路とする。バイパス配管１２は、バイパス配管９と同様に、第２のバイパス回路を形成するための配管である。キャピラリ１３は、バイパス回路（バイパス配管１２）を通過する冷媒の流量を調整する。また、バイパス回路開閉用弁１４は、制御装置１１０からの指示に基づいてバイパス回路における冷媒循環を行うかどうかを制御する。
【００４０】
図５は第１バイパス回路及び第２バイパス回路の配置関係を室外機１００の上側から表した図である。本実施の形態においては、バイパス配管９、１２を２方向に分けて室内機ベース部に配設する。
【００４１】
図６は本実施の形態２における氷結防止制御処理のフローチャートを表す図である。次に、制御装置１１０が処理を行う本実施の形態における室外機ベース部での水の氷結防止に係る制御について説明する。まず、実施の形態１において説明したように、運転モードと外気温度とを判断し、運転モードが暖房運転で、かつ、外気温度が３℃以下を１０分連続で検知しているかどうかを判断する（ＳＴ１１〜ＳＴ１３）。
【００４２】
判断の結果、条件を満たしていない場合は、室外機ベース部のドレン穴は塞がらないであろうとしてそのままの運転を継続する。一方、条件を満たしたものと判断すると、バイパス回路開閉用弁１１、１４を開としてバイパス配管９、１２を冷媒が通過できるようにし、第１及び第２バイパス回路を形成する（ＳＴ１４）。２つのバイパス回路を形成することで圧縮機１を吐出した高温の冷媒による熱量を室外機ベース部に供給することができ、室外機ベース部において水が氷結するのを防止することができる。
【００４３】
バイパス回路を形成した後、空気調和装置の運転を停止した又は運転中に外気温度が３℃より高い状態を１０分連続で検知したものと判断すると（ＳＴ１５〜ＳＴ１７）、バイパス回路開閉用弁１１、１４を閉にしてバイパス配管９、１２に冷媒が流れないようにし、冷媒回路の冷媒循環をする（ＳＴ１８）。
【００４４】
以上のように、実施の形態２に係わる空気調和装置の室外機１００では、複数のバイパス回路を構成することで、室外機ベース部の複数の位置からの熱量供給を行うことができる。このため、例えば各バイパス回路において冷媒流出口（アキュムレータ８）付近での熱量の供給量低下を他のバイパス回路における熱量供給によって補うことができる。このため、室外機ベース部全体において供給される熱量の偏りを防ぐことができる。
【００４５】
実施の形態３．
以下、本発明に関する実施の形態３について説明する。
図７は、この発明の実施の形態３における空気調和装置の構成を表す図である。前述の実施の形態１、２では、バイパス回路開閉用弁１１、１４を閉じてバイパス回路への冷媒循環を停止するかどうかの判断を外気温度に基づいて行っている。ここで、室外機ベース部の温度を、外気温度により間接的に判断しているため、実際には室外機ベース部の水が氷結しているにも関わらず、バイパス回路における冷媒循環を停止する可能性がある。このため、間接的な外気温度によって判断するよりも、さらに直接的な温度に基づいて判断できる方が、判断に係る精度を高め、より確実に氷結防止をはかることができる。
【００４６】
そこで、本実施の形態では、バイパス配管９、１２の冷媒流入出口にそれぞれ温度センサー（冷媒温度検知手段）を設置し、冷媒流入口と冷媒流出口との温度差に基づいて、バイパス回路開閉用弁１１、１４を閉じるか否かを判断し、室外機ベース部の氷結防止の精度を向上させるようにする。
【００４７】
図７に示すように、第１バイパス回路の冷媒流入口部分の温度を検知するための第１回路流入側温度センサー１５を設ける。また、冷媒流出口部分の温度を検知するための第１回路流出側温度センサー１６を設ける。同様に、第２バイパス回路の冷媒流入口部分の温度を検知するための第２回路流入側温度センサー１７、冷媒流出口部分の温度を検知するための第２回路流出側温度センサー１８を設ける。
【００４８】
図８は本実施の形態３の空気調和装置における氷結防止制御処理のフローチャートを表す図である。実施の形態１において説明したように、運転モードと外気温度とを判断し、運転モードが暖房運転で、かつ、外気温度が３℃以下を１０分連続で検知しているかどうかを判断する（ＳＴ２１〜ＳＴ２３）。
【００４９】
条件を満たしていないものと判断すると、そのままの運転を継続する。一方、条件を満たしたものと判断すると、バイパス回路開閉用弁１１を開にして第１バイパス回路を形成し、バイパス回路開閉用弁１４を開にして第２バイパス回路を形成する（ＳＴ２４）。
【００５０】
次に、暖房運転を継続するか停止をするかを判断する（ＳＴ２５）。暖房運転を停止するものと判断すると、バイパス回路開閉用弁１１、１４を共に閉にして、バイパス回路の冷媒循環を停止する（ＳＴ２６）。
【００５１】
運転を継続するものと判断すると、第１バイパス回路における温度センサー１５と温度センサー１６との温度差ΔＴ１が１５ｄｅｇ（１５℃）以下の状態が１０分連続しているかを判断する（ＳＴ２７）。また、同様に、第２バイパス回路における温度センサー１７と温度センサー１８との温度差ΔＴ２が１５ｄｅｇ（１５℃）以下の状態が１０分連続しているかを判断する（ＳＴ２８）。ここで、ＳＴ２７とＳＴ２８とについては判断を行う順序は問わない。
【００５２】
ＳＴ２７とＳＴ２８とにおいて、条件を満たしていないものと判断すると、そのままの運転を継続する。一方、ＳＴ２７において、条件を満たしたものと判断すると、バイパス回路開閉用弁１１を閉にしてバイパス配管９に冷媒を通過させないようにする（ＳＴ２９）。
【００５３】
同様に、ＳＴ２８において、満たしたものと判断すると、バイパス回路開閉用弁１４を閉にしてバイパス配管１２に冷媒を通過させないようにする（ＳＴ３０）。
【００５４】
以上のように実施の形態３に係わる空気調和装置の室外機１００においては、バイパス配管９、１２の冷媒流入出口付近に温度センサー１５、１６、１７、１８を設置し、各バイパス配管に流入出する冷媒の温度差に基づいて、バイパス回路開閉用弁１１、１４を閉じるかどうかを判断するようにしたので、より室外機ベース部に近い温度に基づく、室外機ベース部の氷結の有無等の状態確認の判断精度を向上させることができる。
【００５５】
実施の形態４．
以下、本発明に関する実施の形態４について説明する。
図９はこの発明の実施の形態４におけるバイパス回路の配置関係を室外機１００の上側から表した図である。例えば、前述した実施の形態２においては、バイパス回路を複数構成し、熱交換量を上げるようにした。ただ、実施の形態２に係る構成では、各バイパス回路にキャピラリ１３、バイパス回路開閉用弁１４を設けているため、例えば部品コストの上昇、配置スペースの確保等を考慮する必要がある。そこで、本実施の形態では、バイパス配管の一部を二重管構造とすることで、バイパス配管の冷媒流出口となるアキュムレータ８付近における熱量の供給を多くしよう（熱交換量を多くしよう）とするものである。
【００５６】
図１０は実施の形態４に係るバイパス配管５０の構造を表す図である。バイパス配管５０は図１０に示すような二重管構造となっている。二重管における配管径は、外側の管（以下、外管という）をφ１５．８８［ｍｍ］、内側の管（以下、内管という）をφ９．５２［ｍｍ］とする。アキュムレータ８周辺に配置するバイパス配管が二重管構造となるようにする。そして、外管を流れる冷媒と内管を流れる冷媒の流れが対向流となるようにする。
【００５７】
図１１は冷媒の流れる距離と配管温度との関係を表す図である。圧縮機１の吐出側から流入した冷媒は、外管側と内管側とに分かれて通過する。外管側の冷媒は、アキュムレータ８周辺に熱量を供給（放熱）し、さらに内管側の冷媒にも供給する。アキュムレータ８周辺における配管温度を上昇させることが可能（図１１のＴ１→Ｔ２）となり、熱交換の効率を上げてかつ、コストアップを抑制することができる。
【００５８】
以上のように、実施４の形態に係わる空気調和装置の室外機１００では、バイパス配管５０を二重管構造とすることで、室外機ベース部の複数の位置からの熱量供給を行うことができ熱交換の効率をさらにアップさせることが可能となる。このとき、キャピラリ、バイパス回路開閉用弁の数を減らすことができコスト削減を行うことができる。また、これらの設置スペースを確保しなくてもよいため、配管の自由度も高めることができる。
【００５９】
ここでは、実施の形態２における２つのバイパス回路に代わるものとして、本実施の形態のバイパス回路を説明したが、これに限定するものではない。例えば本実施の形態のように少なくとも一部を二重管構造としたバイパス配管５０を用いて構成したバイパス回路を実施の形態２のように複数有するようにしてもよい。
【００６０】
実施の形態５．
前述の実施の形態においては、低外気環境における室外機ベース部に熱量供給を行うために現地において取り付けを行う電気ヒーターの代わりとして、バイパス配管９等によるバイパス回路を構成するものとして説明した。しかし、バイパス回路の利用はこれに限定するものではない。例えば、通常、霜取り（デフロスト）を行う際に、室外側熱交換器等に霜を融かすための熱量供給を行うが、室外機ベース部に熱量供給を行うための装置として利用することができる。
【産業上の利用可能性】
【００６１】
上述の実施の形態は、空気調和装置の室外機について説明したが、例えば室外側熱交換器７が蒸発器として機能する給湯システム等の、他の冷凍サイクル（ヒートポンプ）装置についても適用することができる。
【符号の説明】
【００６２】
１  圧縮機、２  四方弁、３  ガス操作弁、４  室内側熱交換器、５  電子膨張弁、６  液操作弁、７  室外側熱交換器、８  アキュムレータ、９，１２，５０  バイパス配管、１０，１３  キャピラリ、１１，１４  バイパス回路開閉用弁、１５  第１回路流入側温度センサー、１６  第１回路流出側温度センサー、１７  第２回路流入側温度センサー、１８  第２回路流出側温度センサー、２１  過冷却用配管、２２  冷媒間熱交換器、２３  冷媒調整弁、３０  室外温度センサー、１００  室外機、１１０  制御装置、２００  室内機。
【図１】
2012068001.tif 000003
【図３】
2012068001.tif 000004
【図４】
2012068001.tif 000005
【図６】
2012068001.tif 000006
【図７】
2012068001.tif 000007
【図８】
2012068001.tif 000008
【図１０】
2012068001.tif 000009
【図１１】
2012068001.tif 000010
【図２】
2012068001.tif 000011
【図５】
2012068001.tif 000012
【図９】
2012068001.tif 000013